(57)【要約】【課題】ヘルメットの顔面シールドに拡大鏡（老眼鏡）の機能を付与しておくことで、顔面シールドを通常の顔面保護材としての機能のほかに拡大鏡（老眼鏡）として有効利用し得るようにしたこと。【解決手段】ヘルメット殻体１に顔面シールド２を上方の退避位置と下方の使用位置との間で移動自在に設けた顔面シールド付きヘルメットにおいて、顔面シールド２のシールド板２１の一部に拡大鏡となる凸レンズ２２を一体に設けているとともに、ヘルメット殻体１を頭に被って顔面シールド２を下方の所定位置まで引き下げることで、凸レンズ２２部分を眼球３２の対面位置に位置させ得るように構成していることにより、顔面シールド２を通常の顔面保護材としての機能のほかに拡大鏡（老眼鏡）として有効利用し得るようにしている。【選択図】  図３
2018035446.tif 000002
【特許請求の範囲】
【請求項１】
ヘルメット殻体（１）に顔面シールド（２）を上方の退避位置と下方の使用位置との間で移動自在に設けた顔面シールド付きヘルメットであって、
上記顔面シールド（２）のシールド板（２１）の一部に拡大鏡となる凸レンズ（２２）を一体に設けているとともに、
上記ヘルメット殻体（１）を頭に被って上記顔面シールド（２）を下方の所定位置まで引き下げることで、上記凸レンズ（２２）部分を眼球（３２）の対面位置に位置させ得るように構成している、
ことを特徴とする顔面シールド付きヘルメット。
【発明の詳細な説明】
【技術分野】
【０００１】
本願発明は、工事現場等の危険な作業場所やオートバイ乗車時等に着用するヘルメットに関し、さらに詳しくはヘルメット前部に顔面シールドを出し入れ自在に設けた顔面シールド付きヘルメットに関するものである。
【背景技術】
【０００２】
工事現場等の危険を伴う作業場所やオートバイ乗車時等には、頭部保護用のヘルメットの着用が義務付けられている。又、この種のヘルメットとして、ヘルメット前部に顔面シールドを出し入れ自在に設けたものが多用されている。
【０００３】
顔面シールド付きヘルメットの多くは、一般に顔面シールドをヘルメット前部内の上方格納位置と顔面を被覆する下方使用位置との間で上下移動（スライド）させ得るようにしている。尚、このように顔面シールドをヘルメット前部において上下移動させ得るようにした公知例として、例えば特開平１０−２９８８１８号公報（特許文献１）に示されるものがある。
【０００４】
ヘルメット用の顔面シールドは、一般に透明（アクリル製）のシールド板が使用されていて、顔面シールドを下方の使用位置に引き下げた状態では、シールド板で顔面を保護し得る一方、該シールド板（透明板）を通して前方を視認できるようになっている。
【０００５】
ところで、老眼が進んだ人は、近くのものを明瞭に見るために、普段から老眼鏡を携行していることが多い。そして、老眼が進んだ人でも遠くのものは裸眼でさほど支障なく視認（確認）できるが、老眼が進んだ人が近距離（例えば３０cm程度以内）で微細な文字や図面を見るときには携行している老眼鏡を使用することが多い。
【０００６】
ところで、工事現場においてヘルメットを着用し且つ顔面シールドを使用した状態から老眼鏡を装着する（眼鏡のつるを耳にかける）場合は、顔面シールドが邪魔になるので該顔面シールドを上方にスライドさせてヘルメット内に格納する操作が必要であるとともに、それでも（顔面シールドを上方に格納しても）ヘルメットを被ったままでは老眼鏡の装着がしにくいので、ヘルメットを脱いで老眼鏡を装着し、その後にヘルメットを被り直すことがあった。
【０００７】
尚、老眼鏡を装着したままでは遠くが暈ける（焦点が合わない）ので、工事現場での通常作業には老眼鏡を使用しないものの、老眼鏡が必要な人は、近距離で微細な視認対象物（文字や図面等）を見るのに常時老眼鏡を携帯しているのが現状である。
【先行技術文献】
【特許文献】
【０００８】
【特許文献１】特開平１０−２９８８１８号公報
【発明の概要】
【発明が解決しようとする課題】
【０００９】
ところが、老眼が進んだ人が顔面シールド付きヘルメットを着用して工事現場で作業をする場合において、近距離の微細な視認対象物を見るために老眼鏡を装着する際には、上記のように顔面シールドを格納したりあるいはヘルメットを脱着する操作が必要であって、老眼鏡装着のための操作が面倒であるという問題があるほか、老眼鏡が必要な人は非使用時でも老眼鏡を携帯しておく必要があるという問題があった。
【００１０】
そこで、本願発明は、ヘルメットの顔面シールドに老眼鏡（拡大鏡となる凸レンズ）の機能を付与しておくことで、老眼鏡を携帯しなくても該顔面シールドを通常の顔面保護材としての機能のほかに老眼鏡として有効利用し得るようにした顔面シールド付きヘルメットを提供することを目的としている。
【課題を解決するための手段】
【００１１】
本願発明は、上記課題を解決するための手段として次の構成を有している。尚、本願発明は、添付の図面に例示するように、ヘルメット殻体１に顔面シールド２を上方の退避位置（図示例ではヘルメット前部の内部にある収納空所１３内）と下方の使用位置との間で移動自在に設けた顔面シールド付きヘルメットを対象にしている。
【００１２】
そして、本願発明の顔面シールド付きヘルメットは、顔面シールド２のシールド板２１の一部に拡大鏡となる凸レンズ２２を一体に設けているとともに、ヘルメット殻体１を頭に被って顔面シールド２を下方の所定位置まで引き下げることで、上記凸レンズ２２部分を眼球３２の対面位置に位置させ得るようにしていることを特徴としている。
【００１３】
本願発明の顔面シールド付きヘルメットでは、ヘルメット殻体１を頭に被った状態で、顔面シールド２が不要なときには該顔面シールド２を上方の退避位置（収納空所１３内）に押し上げておき、顔面シールド２を顔面保護用に使用するときには該顔面シールド２を引き下げてシールド板２１で顔面の前方を被覆する。
【００１４】
そして、顔面シールド２を老眼鏡として機能させるには、顔面シールド２の引き下げ量を調整してシールド板２１に設けた凸レンズ２２部分を眼球３２の対面位置に位置させることで、該凸レンズ２２を通して視認対象物（例えば微細な文字や図面）を目視できるようになっている。
【発明の効果】
【００１５】
本願発明の顔面シールド付きヘルメットでは、顔面シールド２のシールド板２１の一部に拡大鏡となる（老眼鏡として機能する）凸レンズ２２を一体に設けているので、該顔面シールド２を通常の顔面保護機能のほかに、拡大鏡（老眼鏡）として有効利用できるという効果がある。
【００１６】
又、本願発明の顔面シールド付きヘルメットを使用すると、老眼鏡を必要とする人であっても、老眼鏡を携帯しなくてもよいとともに老眼鏡のかけ代え操作が不要となる、という効果もある。
【図面の簡単な説明】
【００１７】
【図１】本願の第１実施例にかかる顔面シールド付きヘルメットを頭に着用し、顔面シールドを上方に格納した状態の正面図である。
【図２】図１のII−II断面相当図である。
【図３】図１の状態から顔面シールドを第１引き下げ位置（シールド板下半部の凸レンズ部分が眼球に対面する位置）まで引き下げた状態の正面図である。
【図４】図３のIV−IV断面相当図である。
【図５】図１の状態から顔面シールドを第２引き下げ位置（シールド板上半部の無レンズ部分が眼球に対面する位置）まで引き下げた状態の正面図である。
【図６】図５のVI−VI断面相当図である。
【図７】本願の第２実施例にかかる顔面シールド付きヘルメットを頭に着用した状態での図３相当図である。
【発明を実施するための形態】
【００１８】
図１〜図７を参照して本願実施例の顔面シールド付きヘルメットを説明すると、図１〜図６には本願第１実施例を示し、図７には本願第２実施例を示している。
【００１９】
［図１〜図６の第１実施例］
この第１実施例の顔面シールド付きヘルメットは、ヘルメット殻体１に顔面シールド２を上方の退避位置と下方の使用位置との間で移動自在に設けたものである。そして、図１及び図２は、顔面シールド２をヘルメット殻体１の前部に設けた収納空所１３に格納した状態図であり、図３及び図４は、顔面シールド２を第１引き下げ位置（後述の凸レンズ２２部分が眼球３２の前方に対応する位置）まで引き下げた状態図であり、図５及び図６は、顔面シールド２を第２引き下げ位置（後述の無レンズ２３部分が眼球３２の前方に対応する位置）まで引き下げた状態図である。
【００２０】
図１〜図６の第１実施例で使用しているヘルメット殻体１は、工事現場で使用する汎用のものであるが、本願で使用するヘルメット殻体１としては、別用途（例えばオートバイ乗車用のもの）のものも採用できる。
【００２１】
この第１実施例で使用している顔面シールド２は、透明（アクリル製）のシールド板で製作されていて、顔面シールド２を図５及び図６に示す第２引き下げ位置（最下動位置）まで引き下げた状態では、シールド板２１で顔面３１の大部分の面積を被覆（保護）し得る一方、該シールド板２１を通して前方を視認できるようになっている。尚、この顔面シールド２のシールド板２１の大きさは、顔面３１の左右全幅を被覆でき且つ図５及び図６に示す第２引き下げ位置まで引き下ろしたときに鼻の下端付近まで被覆し得る面積を有している。
【００２２】
又、この第１実施例で使用している顔面シールド２には、シールド板２１の下半部２１ｂに拡大鏡となる左右２つの凸レンズ２２，２２を一体に設けている一方、シールド板２１の上半部２１ａは均一厚さの無レンズ２３部分としている。尚、この顔面シールド２は、シールド板製作時に各凸レンズ２２，２２も同時に一体成形される。
【００２３】
シールド板下半部２１ｂの各凸レンズ２２，２２は、老眼鏡としての左右各レンズとなるもので、図３及び図４に示すように人の左右両眼球３２，３２に対応する間隔で設けられている。尚、この各凸レンズ２２，２２の度数は、適度のものを採用できる。
【００２４】
ヘルメット殻体１の前部には、前部壁１１とガイド板１２との間に顔面シールド２を出し入れ自在に格納する収納空所１３が設けられており、顔面シールド２が該収納空所１３内に上下出し入れ自在に格納されるようになっている。尚、顔面シールド２の出し入れは、シールド板２１の下端部を指で摘まんで上下させればよい。
【００２５】
そして、この第１実施例では、顔面シールド２を、図１及び図２に示す格納位置と、図３及び図４に示す第１引き下げ位置と、図５及び図６に示す第２引き下げ位置との３位置でそれぞれ停止させ得るようにしている。尚、上記３位置での顔面シールド２の各停止は、前部壁１１やガイド板１２との摩擦力で位置保持されることで達成される。
【００２６】
この第１実施例の顔面シールド付きヘルメットは、次のように使い分けできる。
【００２７】
まず、顔面３１に対する保護が不要なときには、図１及び図２に示すように顔面シールド２を格納位置に押し上げておけば、シールド板２１を介することなく直接前方を視認できる。この場合、眼球３２，３２の前方にシールド板２１がないので、見晴らしが良好である。
【００２８】
次に、近距離で微細な文字や図面を見るときには、図３及び図４に示すように顔面シールド２を第１引き下げ位置まで引き下ろして、各凸レンズ２２，２２部分を眼球３２，３２の対面位置に位置させる。この状態では、文字や図面等の視認対象物が各凸レンズ２２，２２を通して大きく見えるので、近い位置が見ずらい老眼の人には、老眼鏡を用いることなく視認対象物を明瞭に見ることができる。又、凸レンズ２２が拡大鏡の機能を有するので、視力が正常な人（老眼でない人）でも視認対象物を大きく見ることができる。
【００２９】
さらに、顔面シールド２で通常の顔面保護をするときには、図５及び図６に示すように顔面シールド２を第２引き下げ位置（最下動位置）まで引き下ろして、無レンズ２３部分を眼球３２，３２の対面位置に位置させる。この状態は、シールド板２１が顔面３１の大部分の範囲を被覆しているので、該シールド板２１で顔面保護を実行できるとともに、無レンズ２３部分を通して前方視界を確保できる。このとき、シールド板２１の下半部２１ｂに凸レンズ２２，２２があっても、該凸レンズ２２，２２が眼球３２，３２からの視界にはほとんど入らないので、前方視認には邪魔にならない。
【００３０】
上記のように、第１実施例の顔面シールド付きヘルメットでは、顔面シールド２を通常の顔面保護機能のほかに拡大鏡（老眼鏡）として有効利用できるとともに、老眼鏡を必要とする人でも、老眼鏡を携帯しなくてもよいとともに老眼鏡のかけ代え操作が不要となるという機能も有している。
【００３１】
［図７の第２実施例］
図７に示す第２実施例の顔面シールド付きヘルメットは、上記第１実施例における凸レンズ２２部分の変形例を示したものである。
【００３２】
この第２実施例の顔面シールド付きヘルメットでは、シールド板２１の下半部２１ｂに設けた凸レンズ２２として、両眼球３２，３２を同時にカバーできる横長一体物を採用している。尚、その他の構成は、上記第１実施例のものと同じである。
【００３３】
この第２実施例（図７）のものでも、凸レンズ２２部分を眼球３２，３２の前方に位置させると、該凸レンズ２２部分を通して視認対象物（文字や図面）を拡大して見ることができるという機能を有している。
【符号の説明】
【００３４】
１はヘルメット殻体、２は顔面シールド、１３は収納空所、２１はシールド板、２１ａは上半部、２１ｂは下半部、２２は凸レンズ、２３は無レンズ部分である。
【図１】
2018035446.tif 000003
【図２】
2018035446.tif 000004
【図３】
2018035446.tif 000005
【図４】
2018035446.tif 000006
【図５】
2018035446.tif 000007
【図６】
2018035446.tif 000008
【図７】
2018035446.tif 000009